(57)【要約】【課題】間隔を空けて配置された複数のコンクリート構造物に電気防食を行うに際し、コンクリート構造物の間に陽極体を容易に設置することができる電気防食工法を提供することを課題とする。【解決手段】複数のコンクリート構造物の間に配置された陽極体が嵌め込まれた嵌込部材によって陽極体がコンクリート構造物から離間した位置に保持された状態で、陽極体とコンクリート構造物との間に形成された空間に水硬性材料からなる充填材を充填して硬化させることを特徴とする。【選択図】図３
2014005513.tif 000002
【特許請求の範囲】
【請求項１】
間隔を空けて配置された複数のコンクリート構造物の間に配置された陽極体からコンクリート構造物中の金属材に電流を供給して金属材の電気防食を行う電気防食工法であって、
複数のコンクリート構造物の間に配置された陽極体が嵌め込まれた嵌込部材によって陽極体がコンクリート構造物から離間した位置に保持された状態で、陽極体とコンクリート構造物との間に形成された空間に水硬性材料からなる充填材を充填して硬化させることを特徴とする電気防食工法。
【請求項２】
前記陽極体は、一方向に沿って直線状に配列された複数の陽極部材が各陽極部材間に配置された連結部材によって連結されてなることを特徴とする請求項１に記載の電気防食工法。
【請求項３】
直線状に形成された一対の陽極体が並列して配置されて嵌込部材に嵌め込まれた状態で、一方の陽極体における連結部材と、他方の陽極体における連結部材とが陽極部材の配列方向の異なる位置に配置されていることを特徴とする請求項２に記載の電気防食工法。
【発明の詳細な説明】
【技術分野】
【０００１】
本発明は、間隔を空けて配置された複数のコンクリート構造物の間に陽極体を配置し、該陽極体からコンクリート構造物中の金属材に電流を供給して金属材の電気防食を行う電気防食工法に関する。
【背景技術】
【０００２】
コンクリート構造物中に埋設されている鉄筋などの鋼材は、表面に不動態被膜が形成されているため、本来、腐食から保護されている。ところが、沿岸地域や凍結防止剤などが頻繁に使用される地域などでは、コンクリート構造物の経時的な劣化によって形成された亀裂やコンクリート構造物内の間隙などを通って、水分に溶解した塩素成分がコンクリート構造物の内部にまで侵入してしまう場合がある。このような場合、侵入した塩素成分によって鋼材の不動態被膜が破壊され、鋼材が腐食（酸化）する虞がある。
【０００３】
この際、腐食した鋼材の表面では、腐食した部分と腐食していない部分とで酸化反応（アノード反応）と還元反応（カソード反応）とが同時に進行する。これにより、鋼材表面に生じたアノード部とカソード部との間に電位差が生じ、アノード部からカソード部へとコンクリート構造物中に腐食電流が流れることとなる。そして、この腐食電流が鋼材の腐食を更に進行させる要因となる。
【０００４】
このような腐食の進行を防止する方法としては、チタンなどの素材を用いて形成された陽極材をコンクリート構造物に取り付け、陽極材と鋼材との間に電流（防食電流）を継続的に流すことによって、鋼材表面の電位差を解消して腐食電流が発生するのを防止する電気防食工法が知られている。
【０００５】
陽極材をコンクリート構造物に取り付ける方法としては、陽極材を備えるパネル部材をコンクリート構造物から離間した位置に配置し、ボルト部材等の固定具を用いて該パネル部材をコンクリート構造物から離間した位置に固定し、パネル部材とコンクリート構造物との間の空間にモルタル等の充填材を充填して硬化させる方法が知られている（特許文献１および２参照）
【０００６】
また、橋脚上に敷設された橋桁のように、複数のコンクリート構造物が間隔を空けて配置されている場合、コンクリート構造物の端部に位置する金属材に対して電気防食を行う際には、コンクリート構造物の端部に陽極材を設置する必要がある。この場合、例えば、コンクリート構造物の端部に陽極材を挿入する挿入孔を形成し、該挿入孔に陽極材を挿入することで、コンクリート構造物の端部に陽極材を設置する方法が提案されている（特許文献３参照）。
【先行技術文献】
【特許文献】
【０００７】
【特許文献１】特開２００４−５２０６１号公報
【特許文献２】特開２００３−３２１９４１号公報
【特許文献３】特開２００９−１７９８７６号公報
【発明の概要】
【発明が解決しようとする課題】
【０００８】
ところで、間隔を空けて配置された既設のコンクリート構造物の端部に埋設された金属材に対して電気防食を行う場合、コンクリート構造物の端部同士の間に陽極材を配置することが必要な場合がある。このような場合、コンクリート構造物の端部同士の間に十分な間隔が形成されていないと、上記のように陽極材を備えたパネル部材をコンクリート構造物の端部の間に配置し、ボルト部材等の固定具を用いてコンクリート構造物の端部にパネル部材を連結することが困難となる場合がある。例えば、コンクリート構造物の端部同士の間に固定具を配置することができなかったり、ボルト部材を回転させる工具をコンクリート構造物の端部同士の間に挿入できなかったりする場合がある。このような場合、コンクリート構造物と陽極材とを離間した状態で保持することが困難となり、コンクリート構造物に対する陽極材の取り付けを容易に行うことができない。
【０００９】
また、既設のコンクリート構造物の端部に、上記のような陽極材を挿入する挿入孔を形成することも、コンクリート構造物の端部同士の間に十分な間隔が形成されていない場合には困難である。
【００１０】
そこで、本発明は、間隔を空けて配置された複数のコンクリート構造物に電気防食を行うに際し、コンクリート構造物の間に陽極体を容易に設置することができる電気防食工法を提供することを課題とする。
【課題を解決するための手段】
【００１１】
本発明にかかる電気防食工法は、間隔を空けて配置された複数のコンクリート構造物の間に配置された陽極体からコンクリート構造物中の金属材に電流を供給して金属材の電気防食を行う電気防食工法であって、複数のコンクリート構造物の間に配置された陽極体が嵌め込まれた嵌込部材によって陽極体がコンクリート構造物から離間した位置に保持された状態で、陽極体とコンクリート構造物との間に形成された空間に水硬性材料からなる充填材を充填して硬化させることを特徴とする。
【００１２】
斯かる構成によれば、複数のコンクリート構造物の間に配置された陽極体が嵌込部材に嵌め込まれることで、陽極体がコンクリート構造物から離間した位置に保持されるため、ボルト部材等の固定具を用いることなく、陽極体とコンクリート構造物との間隔を容易に維持することができる。つまり、複数のコンクリート構造物の間に十分な間隔が形成されておらず、固定具を用いることができない場合であっても、コンクリート構造物の間において、陽極体とコンクリート構造物との間隔を容易に維持することができる。このため、陽極体とコンクリート構造物との間に充填材を充填する空間を容易に確保することができる。
【００１３】
また、陽極体とコンクリート構造物との間の距離が嵌込部材によって維持されるため、陽極体とコンクリート構造物中の金属材との間の距離も維持される。つまり、嵌込部材に陽極体を嵌め込むことで、金属材に対する陽極体の位置決めを容易に行うことができ、電気防食に適した位置に陽極体を配置することができる。
【００１４】
前記陽極体は、一方向に沿って直線状に配列された複数の陽極部材が各陽極部材間に配置された連結部材によって連結されてなることが好ましい。
【００１５】
斯かる構成によれば、複数の陽極部材が連結されて陽極体が形成されていることで、陽極体が一体的に形成されている場合よりも、コンクリート構造物に対する陽極体の設置を容易に行うことができる。具体的には、コンクリート構造物の比較的広い領域に陽極体を設置する場合、斯かる領域に対応した長さの（長尺状の）陽極体をコンクリート構造物の間に配置する必要があるが、斯かる作業は大変手間のかかるものとなる。
【００１６】
これに対し、陽極体が複数の陽極部材から形成されることで、陽極体をコンクリート構造物の間に配置する際には、陽極部材を連結部材で連結して陽極体を形成しつつコンクリート構造物の間に配置することができる。このため、陽極体を設置する領域が比較的広い場合であっても、陽極体の設置作業を容易に行うことができる。
【００１７】
直線状に形成された一対の陽極体が並列して配置されて嵌込部材に嵌め込まれた状態で、一方の陽極体における連結部材と、他方の陽極体における連結部材とが陽極部材の配列方向の異なる位置に配置されていることが好ましい。
【００１８】
斯かる構成によれば、一方の陽極体における連結部材と、他方の陽極体における連結部材とが陽極部材の配列方向の異なる位置に配置されていることで、一方の陽極体が備える連結部材と、他方の陽極体が備える連結部材とが干渉することがない。このため、一対の陽極体を近接させることができ、コンクリート構造物間の間隔が比較的狭い状態であっても、コンクリート構造物間に一対の陽極体を容易に配置することができる。
【００１９】
具体的には、並列して配置された一対の陽極体の対向方向に各陽極体における連結部材が突出するように形成されている場合、各陽極体における連結部材が陽極部材の配列方向の同一位置に配置されていると、各陽極体の連結部材同士が干渉し、一対の陽極体が必要以上に離間した状態となる。このように、一対の陽極体が必要以上に離間していると、コンクリート構造物同士の間隔によっては、コンクリート構造物同士の間に一対の陽極体を並列して配置することが困難となる。
【００２０】
これに対し、各陽極体における連結部材が陽極部材の配列方向の異なる位置に配置されることで、各陽極体の連結部材同士が干渉することがない。このため、一対の陽極体を近接させることができ、コンクリート構造物同士の間に一対の陽極体を容易に配置することができる。
【発明の効果】
【００２１】
以上のように、本発明によれば、間隔を空けて配置された複数のコンクリート構造物に電気防食を行うに際し、コンクリート構造物の間に陽極体を容易に設置することができる。
【図面の簡単な説明】
【００２２】
【図１】（ａ）は、２つのコンクリート構造物における対向する端部を示した斜視図、（ｂ）は、第一実施形態における陽極体を示した斜視図。
【図２】（ａ）は、同実施形態における嵌込部材を示した斜視図、（ｂ）は、２つのコンクリート構造物に嵌込部材を取り付けた状態を示した斜視図。
【図３】（ａ）は、図２（ｂ）におけるＸ−Ｘ断面を示した断面図、（ｂ）は、図２（ｂ）におけるＸ−Ｘ断面であって、陽極体とコンクリート構造物との間に充填材を充填した状態を示した断面図。
【図４】（ａ）は、第二実施形態における陽極体を示した斜視図、（ｂ）は、同実施形態における陽極体を一対並列して配置した状態を示した斜視図。
【図５】（ａ）は、同実施形態における一対の陽極体を２つのコンクリート構造物間に配置した状態を示した断面図。（ｂ）は、（ａ）の状態において陽極体とコンクリート構造物との間に充填材を充填した状態を示した断面図。
【図６】（ａ）は、他の実施形態における一対の陽極体が２つのコンクリート構造物間に配置された状態を示した断面図、（ｂ）は、さらに他の実施形態における一対の陽極体が２つのコンクリート構造物間に配置された状態を示した断面図
【発明を実施するための形態】
【００２３】
＜第一実施形態＞
以下、本発明の第一実施形態について図１〜３を参照しながら説明する。
【００２４】
本実施形態に係る電気防食工法は、図１（ａ）に示すように、間隔を空けて配置された複数（具体的には、２つ）のコンクリート構造物Ａ，Ａのうち、少なくとも一つのコンクリート構造物Ａ中に埋設された金属材Ｂ（鋼材など）の電気防食を行うものである。具体的には、コンクリート構造物Ａ中の金属材Ｂに電流を供給する陽極体を２つのコンクリート構造物Ａ，Ａの間に配置し、該陽極体から２つのコンクリート構造物Ａ，Ａ中の各金属材Ｂに電流を供給して金属材Ｂの電気防食を行うものである。また、本実施形態では、２つのコンクリート構造物Ａ，Ａの対向する各端部（以下、対向端部とも記す）Ａ１，Ａ１は、コンクリート構造物の端部におけるコンクリート（具体的には、塩害や中性化の影響を受けた部分）が金属材Ｂの近傍まで除去されることで形成されている。また、各コンクリート構造物Ａは、板状の形状を有し、厚み方向が上下方向となるように配置されている。なお、以下の説明では、対向端部Ａ１，Ａ１の対向方向およびコンクリート構造物Ａ厚み方向に直交する方向をコンクリート構造物Ａの幅方向という。
【００２５】
前記陽極体としては、例えば、図１（ｂ）に示すように、板状に形成された陽極体１を用いることができる。該陽極体１は、一方向が長手となる矩形状に形成されている。陽極体１の長手方向の両端間の長さとしては、特に限定されるものではなく、例えば、コンクリート構造物Ａの幅方向の両端間の長さと略等しく、又は、僅かに短く形成されることが好ましい。
【００２６】
陽極体１は、コンクリート構造物Ａ中の金属材Ｂに電流を供給する陽極部１ａと、該陽極部１ａを保持する陽極部保持部１ｂとから構成されている。
【００２７】
陽極部１ａは、一般的な電気防食工法で使用される陽極材から構成されている。陽極材としては、例えば、面状や帯状に形成されたものを用いることができる。陽極材を形成する素材としては、特に限定されるものではなく、チタン製の素材を用いて形成されたチタンメッシュや、チタン素材を棒状に形成したもの等を用いることができる。本実施形態では、陽極部１ａは、陽極体１がコンクリート構造物Ａ，Ａ間に配置された状態で、コンクリート構造物Ａの厚み方向に沿うように帯状に形成されている。
【００２８】
陽極部保持部１ｂは、板状に形成されている。そして、陽極部保持部１ｂの一方の面側に陽極部１ａ（具体的には、複数の陽極部１ａ）が保持されている。また、陽極部保持部１ｂは、一方向が長手となるように矩形状に形成されている。そして、陽極部保持部１ｂの長手方向に沿って（具体的には、等間隔で）複数の陽極部１ａが保持されている。また、陽極部保持部１ｂは、長手方向に直交する幅方向の両端部のうち、少なくとも一方が陽極部１ａよりも幅方向に突出するように形成されている。本実施形態では、陽極部保持部１ｂの幅方向の両端部が陽極部１ａよりも幅方向に突出することで、保持部突出部１ｃ，１ｃが形成されている。陽極部保持部１ｂを形成する素材としては、特に限定されるものではないが、例えば、絶縁性を有する素材を用いて形成されることが好ましい。
【００２９】
コンクリート構造物Ａ，Ａ間（具体的には、対向端部Ａ１，Ａ１間）に配置された陽極体１は、コンクリート構造物Ａから離間した位置に保持される。陽極体１をコンクリート構造物Ａから離間した位置に保持する際には、図２（ａ）に示すように、陽極体１を嵌め込み可能に構成された嵌込部材２が用いられる。
【００３０】
嵌込部材２は、陽極体１を嵌め込む嵌込部２ａを備えている。該嵌込部２ａは、陽極体１を嵌め込み可能に構成された嵌込凹部２ｂから構成されている。また、嵌込部２ａ（嵌込凹部２ｂ）は、陽極体１の陽極部保持部１ｂの一部（具体的には、一方の保持部突出部１ｃ）を嵌め込み可能に構成されている。また、嵌込部２ａ（嵌込凹部２ｂ）は、複数の陽極体１を嵌め込み可能に構成されている。具体的には、並列して配置された複数（本実施形態では、一対）の陽極体１（具体的には、各陽極体１の一方の保持部突出部１ｃ）を嵌め込み可能に構成されている。また、嵌込部２ａは、一方向に沿って長手となるように形成されている。即ち、嵌込凹部２ｂは、一方向に沿って長手となるように溝状に形成されている。
【００３１】
嵌込部材２は、前記嵌込部２ａ（嵌込凹部２ｂ）を備えた嵌込部材本体部２ｃと、該嵌込部材本体部２ｃから延出する一対の嵌込部材延出部２ｄ，２ｄとから構成されている。
【００３２】
前記嵌込部材本体部２ｃは、板状に形成されている。そして、嵌込部材本体部２ｃの一方の面側に嵌込部２ａ（嵌込凹部２ｂ）が形成されている。また、嵌込部材本体部２ｃは、一方向が長手となる矩形状に形成されている。そして、嵌込部材本体部２ｃの長手方向に沿って（具体的には、長手方向の両端間の全域に亘って）嵌込部２ａ（嵌込凹部２ｂ）が形成されている。
【００３３】
嵌込部材本体部２ｃの一方向（具体的には、長手方向）の両端部には、一対の嵌込部材延出部２ｄ，２ｄが連結されている。即ち、一対の嵌込部材延出部２ｄ，２ｄは、離間した状態で配置されている。一対の嵌込部材延出部２ｄ，２ｄは、板状に形成されている。そして、一対の嵌込部材延出部２ｄ，２ｄの一方の面同士が対向するように配置されている。また、一対の嵌込部材延出部２ｄ，２ｄは、嵌込部材本体部２ｃの一方の面側に向かって嵌込部材本体部２ｃから延出するように配置されている。
【００３４】
また、嵌込部材２は、コンクリート構造物Ａ，Ａ（具体的には、対向端部Ａ１，Ａ１）を収容可能に構成されている。具体的には、嵌込部材２は、嵌込部材本体部２ｃと、一対の嵌込部材延出部２ｄ，２ｄによって凹状に形成されており、内側にコンクリート構造物Ａ，Ａ（具体的には、対向端部Ａ１，Ａ１）を収容可能に構成されている。そして、嵌込部材２は、対向端部Ａ１，Ａ１間に形成された空間の少なくとも一部（本実施形態では、略全体）を収容可能に構成されている。
【００３５】
次に、本実施形態に係る電気防食工法において、コンクリート構造物Ａ，Ａ間に陽極体１を配置する方法について説明する。
【００３６】
まず始めに、図２（ｂ）に示すように、間隔を空けて配置されたコンクリート構造物Ａ，Ａに嵌込部材２を取り付ける。具体的には、凹状に形成された嵌込部材２の内側に対向端部Ａ１，Ａ１を収容し、固定する。本実施形態では、コンクリート構造物Ａ，Ａの下方から凹状の嵌込部材２の内側に対向端部Ａ１，Ａ１を収容する。この際、嵌込部材本体部２ｃおよび一対の嵌込部材延出部２ｄ，２ｄが対向端部Ａ１，Ａ１に密着した状態となる。
【００３７】
そして、嵌込部材２によって対向端部Ａ１，Ａ１間に形成された空間（以下、陽極体配置空間とも記す）が部分的に閉塞される。具体的には、陽極体配置空間は、嵌込部材本体部２ｃによって下方から閉塞されると共に、一対の嵌込部材延出部２ｄ，２ｄによってコンクリート構造物Ａの幅方向から閉塞される。これにより、陽極体配置空間は、上方にのみ開放した状態となる。つまり、嵌込部材２は、陽極体配置空間を部分的に閉塞するように形成された型枠としても機能する。
【００３８】
また、嵌込部材２に対向端部Ａ１，Ａ１が収容された状態で、嵌込部２ａは、図３（ａ）に示すように、対向端部Ａ１，Ａ１間（具体的には、対向端部Ａ１，Ａ１の対向方向の略中央部）に配置されている。これにより、陽極体配置空間と嵌込凹部２ｂの内側とが連通した状態となっている。
【００３９】
次に、対向端部Ａ１，Ａ１間に陽極体１を配置する。具体的には、板状に形成された陽極体１を陽極体配置空間の開放方向に沿って（具体的には、上下方向に沿って）対向端部Ａ１，Ａ１間に配置する。本実施形態では、一対の陽極体１，１が対向端部Ａ１，Ａ１間に配置される。一対の陽極体１，１は、陽極部保持部１ｂ同士を密着させた状態で対向端部Ａ１，Ａ１間に配置される。これにより、各陽極体１の陽極部１ａが対向端部Ａ１，Ａ１のそれぞれに対して対向した状態となる。そして、陽極体１（具体的には、保持部突出部１ｃ）を嵌込部材２（具体的には、嵌込部２ａ）に嵌め込む。本実施形態では、一対の陽極体１のそれぞれの保持部突出部１ｃが嵌込凹部２ｂに嵌め込まれる。
【００４０】
これにより、コンクリート構造物Ａ，Ａ（対向端部Ａ１，Ａ１）間に配置された一対の陽極体１，１が嵌込部材２によってコンクリート構造物Ａ，Ａ（対向端部Ａ１，Ａ１）から離間した位置（具体的には、対向端部Ａ１，Ａ１の対向方向の略中央部）に保持される。これにより、一方の陽極体１と一方の対向端部Ａ１との間に空間が形成されると共に、他方の陽極体１と他方の対向端部Ａ１との間にも空間が形成される。つまり、一対の陽極体１，１を挟んで一対の空間（以下、充填空間とも記す）が形成される。
【００４１】
次に、図３（ｂ）に示すように、一対の陽極体１，１とコンクリート構造物Ａ，Ａ（対向端部Ａ１，Ａ１）との間に形成された充填空間に、充填材Ｇを充填する。充填材Ｇを充填する際には、一方の充填空間に充填される充填量と、他方の充填空間に充填される充填量とが略同一なるようにすることが好ましい。つまり、一対の陽極体１，１を挟んで形成された各充填空間に充填された充填材Ｇの高さ位置が略同一となるように充填されることが好ましい。このように充填材Ｇを充填することで、一対の陽極体１，１を挟んで、一対の陽極体１，１に充填材Ｇから均等に圧が加わるため、充填材Ｇによって陽極体１が押圧されて、一方のコンクリート構造物Ａ側から他方のコンクリート構造物Ａ側へ傾斜してしまうのを防止することができる。
【００４２】
充填材Ｇとしては、セメントモルタルなどの水硬性材料を用いることができる。  前記セメントモルタルとしては、セメント系無収縮モルタルが好ましく、例えば、「フィルコン-R」（住友大阪セメント社製）などが例示できる。
【００４３】
上記のようにして、充填空間に充填材Ｇが充填されて硬化することで、コンクリート構造物Ａ，Ａ間に一対の陽極体１，１が設置される。なお、陽極体１（具体的には、陽極部１ａ）とコンクリート構造物Ａ，Ａ中の金属材Ｂとの間の電流の流れを良好にする点で、硬化した充填材Ｇの電気抵抗値は、１００ｋΩ・ｃｍ以下であることが好ましい。
【００４４】
以上のように、本実施形態に係る電気防食工法によれば、間隔を空けて配置された複数のコンクリート構造物Ａ，Ａに電気防食を行うに際し、コンクリート構造物Ａ，Ａの間に陽極体１，１を容易に設置することができる。
【００４５】
即ち、複数のコンクリート構造物Ａ，Ａの間に配置された陽極体１，１が嵌込部材２に嵌め込まれることで、陽極体１がコンクリート構造物Ａ，Ａから離間した位置に保持されるため、ボルト部材等の固定具を用いることなく、陽極体１，１とコンクリート構造物Ａ，Ａとの間隔を容易に維持することができる。つまり、複数のコンクリート構造物Ａ，Ａの間に十分な間隔が形成されておらず、固定具を用いることができない場合であっても、コンクリート構造物Ａ，Ａの間において、陽極体１，１とコンクリート構造物Ａ，Ａとの間隔を容易に維持することができる。このため、陽極体１，１とコンクリート構造物Ａ，Ａとの間に充填材Ｇを充填する空間を容易に確保することができる。
【００４６】
また、陽極体１とコンクリート構造物Ａ，Ａとの間の距離が嵌込部材２によって維持されるため、陽極体１とコンクリート構造物Ａ，Ａ中の金属材Ｂとの間の距離も維持される。つまり、嵌込部材２に陽極体１を嵌め込むことで、金属材Ｂに対する陽極体１の位置決めを容易に行うことができ、電気防食に適した位置に陽極体１を配置することができる。
【００４７】
＜第二実施形態＞
以下、本発明の第二実施形態について図４および５を参照しながら説明する。
【００４８】
第二実施形態に係る電気防食工法は、第一実施形態と比較すると、主に陽極体１０の構成が異なるものであり、それに伴って、陽極体１０を嵌め込む嵌込部材２０の構成も一部異なる点を有する。従って、以下では、第一実施形態と異なる点を中心に説明し、同一の構成に対しては同一の符号を付し、重複した説明をしない。
【００４９】
陽極体１０は、図４（ａ）に示すように、複数の陽極部材１０ａが連結されて形成されている。該陽極部材１０ａは、第一実施形態の陽極体１よりも一方向（長手方向）の長さが短くなるように形成されている。即ち、陽極部材１０ａは、第一実施形態の陽極体１を構成する陽極部保持部１０ｂよりも一方向（長手方向）の長さが短くなるように形成された陽極部保持部１０ｂを備え、該陽極部保持部１０ｂに複数（本実施形態では、２つ）の陽極部１ａが保持されてなるものである。
【００５０】
複数の陽極部材１０ａは、陽極部材１０ａ同士を連結する連結部材１０ｃを介して連結されている。該連結部材１０ｃは、陽極部材１０ａの長手方向の一端部（陽極部保持部１０ｂの長手方向の一端部）同士を連結するように構成されている。具体的には、連結部材１０ｃは、陽極部材１０ａを嵌め込む陽極部材嵌込部１０ｄを複数（本実施形態では、２つ）備え、該陽極部材嵌込部１０ｄに陽極部材１０ａの長手方向の一端部（陽極部保持部１０ｂの長手方向の一端部）を嵌め込み可能に構成されている。
【００５１】
また、陽極部材嵌込部１０ｄは、陽極部材１０ａの幅方向に沿って長手となるように溝状に形成されている。そして、陽極部材嵌込部１０ｄの長手方向の両端間の長さは、陽極部材１０ａの幅方向の両端間の長さよりも短くなるように形成されている。これにより、陽極部材１０ａの長手方向の一端部における幅方向の両端部よりも中央側の領域が陽極部材嵌込部１０ｄに嵌め込まれることで、各陽極部材１０ａの幅方向の両端部よりも中央側の領域同士が連結部材１０ｃによって連結される。このため、保持部突出部１ｃ，１ｃが連結部材１０ｃよりも陽極部材１０ａの幅方向に突出した状態となる。
【００５２】
陽極体１０は、複数の陽極部材１０ａが連結部材１０ｃによって直線状に連結されてなるものである。具体的には、各陽極部材１０ａの長手方向の一端部同士が陽極部材嵌込部１０ｄに嵌め込まれることで、各陽極部材１０ａが直線状に連結される。
【００５３】
本実施形態では、一対の陽極体１０，１０がコンクリート構造物Ａ，Ａ（対向端部Ａ１，Ａ１）間に配置される。一対の陽極体１０，１０をコンクリート構造物Ａ，Ａ（対向端部Ａ１，Ａ１）間に配置する際には、図４（ｂ）に示すように、一対の陽極体１０，１０が並列して配置される。具体的には、一対の陽極体１０，１０は、陽極部保持部１０ｂ，１０ｂ同士が対向するように並列して配置される。また、一対の陽極体１０，１０が並列して配置された状態において、一方の陽極体１０における連結部材１０ｃと、他方の陽極体１０における連結部材１０ｃとが陽極部材１０ａの配列方向（陽極体１０の長手方向）の異なる位置に配置される。そして、一方の陽極体１０における連結部材１０ｃが他方の陽極体１０の陽極部保持部１０ｂに当接すると共に、他方の陽極体１０における連結部材１０ｃが一方の陽極体１０の陽極部保持部１０ｂに当接する。これにより、一対の陽極体１０，１０（具体的には、陽極部材１０ａ，１０ａ）の間に空間が形成される。
【００５４】
コンクリート構造物Ａ，Ａ間に一対の陽極体１０，１０を配置する際には、図５（ａ）に示すように、嵌込部材２０が用いられる。該嵌込部材２０は、第一実施形態の嵌込部材２における嵌込部２ａおよび嵌込部材本体部２ｃと構成の異なる嵌込部２０ａおよび嵌込部材本体部２０ｃを備えている。具体的には、嵌込部２０ａは、一方の陽極体１０（具体的には、陽極部保持部１０ｂ）のみを嵌め込み可能に構成されている点で、第一実施形態の嵌込部２ａと異なるものである。また、嵌込部材本体部２０ｃは、嵌込部２０ａを一対備える点で第一実施形態の嵌込部材２と異なるものである。
【００５５】
一対の嵌込部２０ａ，２０ａは、間隔を空けて並列して形成されている。そして、一対の嵌込部２０ａ，２０ａに一対の陽極体１０，１０が嵌め込まれることで、一方の陽極体１０における連結部材１０ｃが他方の陽極体１０の陽極部保持部１０ｂに当接すると共に、他方の陽極体１０における連結部材１０ｃが一方の陽極体１０の陽極部保持部１０ｂに当接する。これにより、一対の陽極体１０，１０（具体的には、陽極部材１０ａ，１０ａ）の間に空間が形成される。
【００５６】
コンクリート構造物Ａ，Ａ（対向端部Ａ１，Ａ１）間に配置された一対の陽極体１０，１０は、嵌込部材２０によってコンクリート構造物Ａ，Ａ（対向端部Ａ１，Ａ１）から離間した位置（具体的には、対向端部Ａ１，Ａ１の対向方向の略中央部）に保持される。これにより、一方の陽極体１０と一方の対向端部Ａ１との間に空間が形成されると共に、他方の陽極体１０と他方の対向端部Ａ１との間にも空間が形成される。つまり、一対の陽極体１０，１０を挟んで一対の空間（以下、充填空間とも記す）が形成される。
【００５７】
次に、図５（ｂ）に示すように、一対の陽極体１０，１０とコンクリート構造物Ａ，Ａ（対向端部Ａ１，Ａ１）との間に形成された充填空間に、充填材Ｇを充填する。この際、一対の陽極体１０，１０が離間していると共に、一方（他方）の陽極体１０の連結部材１０ｃが他方（一方）の陽極体１０に当接しているため、各充填空間に充填される充填材Ｇの充填量が略同一とならなくても、一対の陽極体１０，１０が充填材Ｇに押圧されて傾斜することがない。また、温度等の影響によって、コンクリート構造物Ａ，Ａが対向方向に向かって膨張しても、一対の陽極体１０，１０間に形成された空間によって、コンクリート構造物Ａ，Ａの膨張が緩衝されるため、対向端部Ａ１，Ａ１に斯かる膨張による圧力が加わるのを防止することができる。
【００５８】
以上のように、本実施形態に係る電気防食工法では、複数の陽極部材１０ａ，１０ａが連結されて陽極体１０が形成されていることで、陽極体１０が一体的に形成されている場合よりも、コンクリート構造物Ａ，Ａに対する陽極体１０の設置を容易に行うことができる。具体的には、コンクリート構造物Ａの比較的広い領域に陽極体１０を設置する場合、斯かる領域に対応した長さの（長尺状の）陽極体１０をコンクリート構造物Ａ，Ａの間に配置する必要があるが、斯かる作業は大変手間のかかるものとなる。
【００５９】
これに対し、陽極体１０が複数の陽極部材１０ａ，１０ａから形成されることで、陽極体１０をコンクリート構造物Ａ，Ａの間に配置する際には、陽極部材１０ａ，１０ａを連結部材１０ｃで連結して陽極体１０を形成しつつコンクリート構造物Ａ，Ａの間に配置することができる。このため、陽極体１０を設置する領域が比較的広い場合であっても、陽極体１０の設置作業を容易に行うことができる。
【００６０】
一方の陽極体１０における連結部材１０ｃと、他方の陽極体１０における連結部材１０ｃとが陽極部材１０ａ，１０ａの配列方向の異なる位置に配置されていることで、一方の陽極体１０が備える連結部材１０ｃと、他方の陽極体１０が備える連結部材１０ｃとが干渉することがない。このため、一対の陽極体１０，１０を近接させることができ、コンクリート構造物Ａ，Ａ間の間隔が比較的狭い状態であっても、コンクリート構造物Ａ，Ａ間に一対の陽極体１０，１０を容易に配置することができる。
【００６１】
具体的には、並列して配置された一対の陽極体１０，１０の対向方向に各陽極体１０，１０における連結部材１０ｃが突出するように形成されている場合、各陽極体１０，１０における連結部材１０ｃが陽極部材１０ａ，１０ａの配列方向の同一位置に配置されていると、各陽極体１０，１０の連結部材１０ｃ同士が干渉し、一対の陽極体１０，１０が必要以上に離間した状態となる。このように、一対の陽極体１０，１０が必要以上に離間していると、コンクリート構造物Ａ，Ａ同士の間隔によっては、コンクリート構造物Ａ，Ａ同士の間に一対の陽極体１０，１０を並列して配置することが困難となる。
【００６２】
これに対し、各陽極体１０，１０における連結部材１０ｃが陽極部材１０ａ，１０ａの配列方向の異なる位置に配置されることで、各陽極体１０，１０の連結部材１０ｃ同士が干渉することがない。このため、一対の陽極体１０，１０を近接させることができ、コンクリート構造物Ａ，Ａ同士の間に一対の陽極体１０，１０を容易に配置することができる。
【００６３】
なお、本発明に係る電気防食工法は、上記実施形態に限定されるものではなく、本発明の要旨を逸脱しない範囲で種々の変更が可能である。また、上記した複数の実施形態の構成や方法等を任意に採用して組み合わせてもよく（一つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００６４】
例えば、第一実施形態では、一対の陽極体１，１が密着した状態で、コンクリート構造物Ａ，Ａ間に配置されているが、これに限定されるものではなく、一対の陽極体１，１間が離間した状態であってもよい。このような場合、一対の陽極体１，１は、第二実施形態の嵌込部材２０に嵌め込まれるようにしてもよい。
【００６５】
また、上記各実施形態では、陽極体１，１０が一対用いられているが、これに限定されるものではなく、一つの陽極体１，１０がコンクリート構造物Ａ，Ａ間に配置されるようにしてもよい。
【００６６】
また、上記各実施形態では、陽極体１，１０は、陽極部保持部１ｂ，１０ｂの一方の面側に陽極部１ａが保持されているが、これに限定されるものではなく、保持部の内部に陽極部１ａが保持されてもよい。
【００６７】
また、上記各実施形態では、嵌込部２ａ，２０ａが凹状に形成されているが、これに限定されるものではなく、例えば、図６（ａ）に示すように、嵌込部材本体部２１ｃにスリット状の嵌込部２１ａが形成され、該嵌込部２１ａに一対の陽極体１，１が嵌め込まれてもよい。
【００６８】
また、上記各実施形態では、嵌込部材２，２０が型枠としても機能するように構成されているが、これに限定されるものではなく、例えば、図６（ｂ）に示すように、コンクリート構造物Ａ，Ａ間に配置可能な嵌込部材２２を用いてもよい。該嵌込部材２２は、嵌込部２ａを備えている。そして、嵌込部材２２は、嵌込部材２，２０と同一形状に形成された型枠Ｃ内に配置されてコンクリート構造物Ａ，Ａ間に保持されるようにしてもよく、対向端部Ａ１，Ａ１との摩擦によってコンクリート構造物Ａ，Ａ間に保持されてもよい。型枠Ｃとしては、嵌込部材本体部２ｃ，２０ｃと同一形状に形成された型枠本体Ｃ１と、嵌込部材延出部２ｄと同一形状に形成された型枠延出部Ｃ２，Ｃ２とから構成されるものを用いることができる。
【符号の説明】
【００６９】
１，１０…陽極体、１ａ…陽極部、１ｂ，１０ｂ…陽極部保持部、１ｃ…保持部突出部、２，２０…嵌込部材、２ａ，２０ａ…嵌込部、２ｂ…嵌込凹部、２ｃ，２０ｃ…嵌込部材本体部、２ｄ…嵌込部材延出部、１０ａ…陽極部材、１０ｃ…連結部材、１０ｄ…陽極部材嵌込部、Ａ…コンクリート構造物、Ａ１…対向端部、Ｂ…金属材、Ｇ…充填材
【図１】
2014005513.tif 000003
【図２】
2014005513.tif 000004
【図３】
2014005513.tif 000005
【図４】
2014005513.tif 000006
【図５】
2014005513.tif 000007
【図６】
2014005513.tif 000008